(57)【要約】【課題】キーケース金具を構成する各部材を、それぞれにメッキを施した後、容易且つ適切にこれらをアッセンブリできるようにする。【解決手段】金具本体１０の筒状部１０ａに収められるスライダ１１と、筒状部１０ａ内へのスライダ１１の押し込み操作を許容する弾性部材１２と、キーホルダー１３とを備える。金具本体１０の筒状部１０ａにはスリット１０ｂが形成されていると共にスリット１０ｂの一端部は幅広の導入部１０ｃとなっている。キーホルダー１３はスリット１０ｂの導入部１０ｃから筒状部１０ａ内に導入可能で且つこのスリット１０ｂのその余の箇所から抜け出さない大きさの頭部１３ｂを備えた接続部材１３ａを有する。スライダ１１に前記押し込み操作前の位置において各スリット１０ｂの導入部１０ｃを閉塞し且つこの押し込み操作によりこの導入部１０ｃを開放する抜け止め部１１ｄが備えられている。【選択図】図１
2011208376.tif 000002
【特許請求の範囲】
【請求項１】
略方形の金属板の一辺部を筒状に湾曲させてなる筒状部を有すると共に、一面をキーケース本体への取り付け面とする金具本体と、
この金具本体の筒状部にスライド移動可能に収められると共に、この筒状部内から突き出す操作端を備えたスライダと、
前記筒状部内にあって前記操作端を利用したこの筒状部内へのスライダの押し込み操作を弾性変形により許容する弾性部材と、
二以上のキーホルダーとを備えており、
前記金具本体の筒状部には、その筒軸に交叉する向きに続くスリットがこの筒軸方向に隣り合うスリットとの間に間隔を開けて二箇所以上形成されていると共に、各スリットの一端部はこのスリットのその余の箇所より幅広の導入部となっており、
前記各キーホルダーはそれぞれ、前記スリットの導入部から筒状部内に導入可能で且つこのスリットのその余の箇所から抜け出さない大きさの頭部を備えた接続部材を有しており、
前記スライダには、前記押し込み操作前の位置において前記各スリットの導入部にそれぞれ位置し且つこの押し込み操作によりこの導入部を開放する抜け止め部が備えられていることを特徴とするキーケース金具。
【発明の詳細な説明】
【技術分野】
【０００１】
この発明は、キーケース本体の内側に取り付けられてこのキーケース本体と共にキーケースを構成するキーケース金具の改良に関する。
【背景技術】
【０００２】
キーケース本体とその内側に取り付けられるキーケース金物から構成されるキーケースがある。（図８参照）このキーケース金物は、金物本体１０１と、この金物本体１０１に形成させた筒状部１０１ａのスリット１０１ｂに引っ掛けられる接続部材１０２ａを備えたキーホルダー１０２から構成される。キーケース金物にはメッキが施される。ここで、金物本体１０１とキーホルダー１０２とにそれぞれメッキを施した後にこれらをアッセンブリするようにするると、前記筒状部１０１ａの曲げ加工などにおいてメッキ層の破損を生させてしまう。一方、これらをアッセンブリした後にメッキを施すようにするとメッキ不良が生じ易く、また、メッキ後にクリアラッカーなどを塗装する場合にもこの塗装の不良を生じ易い。
【発明の概要】
【発明が解決しようとする課題】
【０００３】
この発明が解決しようとする主たる問題点は、この種のキーケース金具を構成する各部材を、それぞれにメッキを施した後、容易且つ適切にこれらをアッセンブリできるようにする点にある。
【課題を解決するための手段】
【０００４】
前記課題を達成するために、この発明にあっては、キーケース金具を、略方形の金属板の一辺部を筒状に湾曲させてなる筒状部を有すると共に、一面をキーケース本体への取り付け面とする金具本体と、
この金具本体の筒状部にスライド移動可能に収められると共に、この筒状部内から突き出す操作端を備えたスライダと、
前記筒状部内にあって前記操作端を利用したこの筒状部内へのスライダの押し込み操作を弾性変形により許容する弾性部材と、
二以上のキーホルダーとを備えており、
前記金具本体の筒状部には、その筒軸に交叉する向きに続くスリットがこの筒軸方向に隣り合うスリットとの間に間隔を開けて二箇所以上形成されていると共に、各スリットの一端部はこのスリットのその余の箇所より幅広の導入部となっており、
前記各キーホルダーはそれぞれ、前記スリットの導入部から筒状部内に導入可能で且つこのスリットのその余の箇所から抜け出さない大きさの頭部を備えた接続部材を有しており、
前記スライダには、前記押し込み操作前の位置において前記各スリットの導入部にそれぞれ位置し且つこの押し込み操作によりこの導入部を開放する抜け止め部が備えられているものとした。
【０００５】
かかるキーケース金具によれば、第一に、前記金具本体側、つまり、金具本体とスライダと弾性部材の側をアッセンブリした状態から、このスライダを押し込み操作して筒状部のスリットの導入部を開放させ、この開放された導入部を通じてキーホルダーを構成する接続部材の頭部を筒状部内に入れ込ませこのスリットにおける頭部の抜け出さない幅を持った箇所に頭部が位置されるようにこのスリットに沿って接続部材を移動させた後に、前記押し込み操作を解くことにより、導入部から接続部材の頭部が抜け出さないようにして金具本体の側にキーホルダーを容易且つ適切に取り付けることができる。これにより、金具本体側とキーホルダーとをそれぞれ別々にメッキし、あるいはさらに必要に応じて塗装した状態から、これらのいずれの側にも曲げ加工を施すことなく、両者を組み合わせてキーケース金具を構成させることができる。したがってまた、それぞれ異なる表面処理の施された金具本体側とキーホルダーとを組み合わせなるキーケース金具も容易に構成させることができる。また、キーケースを構成するキーホルダーの事後交換も容易にこれをなすことができる。
【発明の効果】
【０００６】
この発明によれば、キーケース金具を構成する各部材を、それぞれにメッキを施した後、容易且つ適切にこれらをアッセンブリすることができる。
【図面の簡単な説明】
【０００７】
【図１】図１は展開状態にあるキーケースの正面構成図である。
【図２】図２はキーケース金具の正面図であり、スライダは押し込み操作前の位置にあり、キーホルダーは一つのみ表している。
【図３】図３は図２の横断面図である。
【図４】図４はキーケース金具の平面図であり、スライダは押し込み操作前の位置にあり、キーホルダーは一つのみ表している。
【図５】図５はキーケース金具の平面図であり、スライダは押し込み操作後の位置にあり、キーホルダーは一つのみ表している。
【図６】図６はキーケース金具の分解斜視図である。
【図７】図７は図１〜図６のキーケース金具の構成の一部を変更させた例を示した正面構成図である。
【図８】図８は展開状態にある従来のキーケースの正面構成図である。
【発明を実施するための形態】
【０００８】
以下、図１〜図７に基づいて、この発明の典型的な実施の形態について、説明する。この実施の形態にかかるキーケース金具１は、キーケース本体２の内側に取り付けられてこのキーケース本体２と共にキーケースを構成するものである。
【０００９】
かかるキーケース金具１は、典型的には、二箇所の折り線２０により区分されると共に、この折り線２０を中心とした左右の部分２１、２１を中央の部分２２に重ねさせたる三つ折りの状態にまとめられるキーケース本体２の、かかる中央の部分２２の内面に取り付けられる。かかるキーケース金具１は、この中央の部分２２の上側縁２２ａに後述する金具本体１０の筒状部１０ａを沿わせるようにして、この中央の部分２２に取り付けられる。（図１）このように取り付けられる金具本体１０の筒状部１０ａに複数のキーホルダー１３、１３…が吊り下げ状に取り付けられ、このキーホルダー１３を構成する吊り下げ環１３ｅに取り外し可能に図示しないキーが保持される。このように保持されたキーはキーケース本体２の前記三つ折り状態においてこのキーケース本体２内に収納される。
【００１０】
かかるキーケース金具１は、少なくとも、金具本体１０と、スライダ１１と、弾性部材１２と、二以上のキーホルダー１３とを備えてなる。
【００１１】
金具本体１０は、略方形の金属板の一辺部１０ｈを筒状に湾曲させてなる筒状部１０ａを有すると共に、一面１０ｆをキーケース本体２への取り付け面１０ｅとしている。具体的には、かかる金属板の一辺部１０ｈを、この一辺部１０ｈの端末１０ｉがこの金属板により構成される金具本体１０の他面１０ｇに接する位置まで、この金具本体１０の前記取り付け面１０ｅ側を湾曲内側とするように湾曲させることで、この金属板の一辺部１０ｈにかかる筒状部１０ａを形成させている。
【００１２】
かかる金具本体１０の筒状部１０ａには、図示の例では、その筒軸に交叉する向きに続くスリット１０ｂがこの筒軸方向に隣り合うスリット１０ｂとの間に間隔を開けて四箇所形成されていると共に、各スリット１０ｂの一端部はこのスリット１０ｂのその余の箇所より幅広の導入部１０ｃとなっている。図示の例では、かかるスリット１０ｂは、筒状部１０ａにおける金具本体１０の取り付け面１０ｅ側に位置される背部１０ｄを始端として前記一辺部１０ｈの端末１０ｉ側に至るように形成されている。そして、かかるスリット１０ｂはかかる始端側、つまり、筒状部１０ａの上部に位置される箇所の幅をその余の箇所よりも幅広として、この始端側を前記導入部１０ｃとしている。
【００１３】
また、金具本体１０の筒状部１０ａの一方の筒端は、図示の例では左側の筒端は、この箇所に位置される前記金属板に形成された耳部１０ｋを金具本体１０の他面に直交するように折り曲げることで、この耳部１０ｋにより閉塞されている。
【００１４】
また、金具本体１０の筒状部１０ａの内部には、前記スライダ１１に対する係当部１０ｍが形成されている。図示の例では、かかる係当部１０ｍは、この筒状部１０ａにおけるその筒軸方向略中程の位置に設けられている。この係当部１０ｍは、この筒状部１０ａにおける前記背部にコ字状の割溝を形成させると共に、この割溝により区分された箇所を折り曲げて筒状部１０ａ内に突出させることで形成されている。
【００１５】
金具本体１０の筒状部１０ａと、この筒状部１０ａに対向する前記金属板の他辺部１０ｊとの間が、前記取り付け面１０ｅを持つ箇所となっている。この箇所には左右に貫通孔１０ｎが形成されており、この貫通孔１０ｎを利用して金具本体１０はキーケースにリベット止めされるようになっている。
【００１６】
スライダ１１は、前記金具本体１０の筒状部１０ａにスライド移動可能に収められると共に、この筒状部１０ａ内から突き出す操作端１１ａを備えている。図示の例では、かかるスライダ１１の両端部間は、一面を前記筒状部１０ａの前記背部１０ｄ側の内面に接しさせるようにして、この筒状部１０ａ内にスライド移動可能に収められた細長板状をなすように構成されている。図示の例では、スライダ１１の右端部は中空軸状をなすように形成されていると共に、筒状部１０ａの開放された右側の筒端から突き出されており、このスライダ１１の右端部を操作端１１ａとして、スライダ１１を筒状部１０ａ内に図２の左側に向けて押し込めるようになっている。
【００１７】
図示の例では、かかるスライダ１１の長さ方向略中程の位置には、前記係当部１０ｍの入り込む、スライダ１１の長さ方向に長い長穴１１ｂが形成されている。これにより、図示の例では、かかるスライダ１１はこの長穴１１ｂの長さの範囲でのスライド移動を可能とした状態で前記筒状部１０ａに収められている。
【００１８】
弾性部材１２は、前記筒状部１０ａ内にあって前記操作端１１ａを利用したこの筒状部１０ａ内へのスライダ１１の押し込み操作を弾性変形により許容するように構成されている。図示の例では、かかる弾性部材１２は、筒状部１０ａの閉塞された左側の筒端とスライダ１１の筒状部１０ａ内に位置される左端１１ｃとの間に介装された圧縮コイルバネによって構成されている。この圧縮コイルバネによって、スライダ１１は、前記押し込み操作をしない限り、前記長穴１１ｂの左側の穴端に前記係当部１０ｍを引っ掛けた基準位置に保持されるようになっている。（図３）
【００１９】
二以上のキーホルダー１３はそれぞれ、前記スリット１０ｂの導入部１０ｃから前記筒状部１０ａ内に導入可能で且つこのスリット１０ｂのその余の箇所から抜け出さない大きさの頭部１３ｂを備えた接続部材１３ａを有している。図示の例では、前記筒状部１０ａに設けられたスリット１０ｂの数に対応した四つのキーホルダー１３…１３を備えるようになっている。具体的には、各キーホルダー１３はそれぞれ、かかる接続部材１３ａと吊り下げ環１３ｅとから構成されている。
【００２０】
接続部材１３ａは、金属線材の一端に鍔状をなすかかる頭部１３ｂを形成させると共に、この頭部１３ｂとの間に頸部１３ｃを形成させるようにこの金属線材の他端側を湾曲させてループ状部１３ｄを形成させてなる。金具本体１０の筒状部１０ａ内に頭部１３ｂを入れ込ませた状態では、頭部１３ｂは筒状部１０ａの下部に引っかかりスリット１０ｂを頸部１３ｃが通過してループ状部１３ｄが筒状部１０ａから垂下する。
【００２１】
吊り下げ環１３ｅは、図示しないキーの摘み部に形成された貫通孔に通される箇所１３ｆと、接続部材１３ａのループ状部１３ｄに通される箇所１３ｇとを備えている。吊り下げ環１３ｅはこのような箇所を備えたものであれば足り、公知の種々の構成・形状のものを用いて構わない。
【００２２】
そして、この実施の形態にあっては、前記スライダ１１には、前記押し込み操作前の位置、つまり、前記基準位置において前記各スリット１０ｂの導入部１０ｃをそれぞれ前記接続部材１３ａの頭部１３ｂを抜け出させない閉塞し且つこの押し込み操作によりこの導入部１０ｃを開放する抜け止め部１１ｄが備えられている。
【００２３】
具体的には、図示の例では、前記スライダ１１における上縁部に、このスライダ１１の長さ方向において隣り合う抜け止め部１１ｄとの間に間隔を開けた状態で、四箇所の抜け止め部１１ｄが形成されている。各抜け止め部１１ｄはスライダ１１の上縁部から前方に突き出して庇状をなす突片として構成されている。そして、前記押し込み操作前の基準位置において、前記筒状部１０ａのスリット１０ｂの四箇所の導入部１０ｃのそれぞれの直下に対応する抜け止め部１１ｄが位置して、かかる導入部１０ｃを筒状部１０ａの内側から閉塞するようになっている。（図２及び図４）この基準位置にあるスライダ１１を筒状部１０ａ内に押し込むとスライダ１１は図２の左側に移動し、各抜け止め部１１ｄは導入部１０ｃの側方に移動してこれを開放する。図示の例では各抜け止め部１１ｄの形成箇所に対向するスライダ１１の下縁部には割り欠き部１１ｅが形成されており、前記基準位置においては、前記スリット１０ｂにおける導入部１０ｃの以外の箇所の接続部材１３ａの頸部の移動を基準位置にあるスライダ１１が妨げることがないようにしてある。
【００２４】
この実施の形態にかかるキーケース金具１によれば、第一に、前記金具本体１０側、つまり、金具本体１０とスライダ１１と弾性部材１２の側をアッセンブリした状態から、このスライダ１１を押し込み操作して筒状部１０ａのスリット１０ｂの導入部１０ｃを開放させ、この開放された導入部１０ｃを通じてキーホルダー１３を構成する接続部材１３ａの頭部１３ｂを筒状部１０ａ内に入れ込ませこのスリット１０ｂにおける頭部１３ｂの抜け出さない幅を持った箇所に頭部１３ｂが位置されるようにこのスリット１０ｂに沿って接続部材１３ａを移動させた後に、前記押し込み操作を解くことにより、金具本体１０の側にキーホルダー１３を容易且つ適切に取り付けることができる。これにより、金具本体１０側とキーホルダー１３とをそれぞれ別々にメッキし、あるいはさらに必要に応じて塗装した状態から、これらのいずれの側にも曲げ加工を施すことなく、両者を組み合わせてキーケース金具１を構成させることができる。したがってまた、それぞれ異なる表面処理の施された金具本体１０側とキーホルダー１３とを組み合わせなるキーケース金具１も容易に構成させることができる。また、キーケースを構成するキーホルダー１３の事後交換も容易にこれをなすことができる。
【００２５】
図７は、金具本体１０の筒状部１０ａの左右の筒端をいずれも開放させると共に、スライダ１１をこの筒状部１０ａの左側の筒端からこの筒状部１０ａ内に入れ込まれる左側スライダ１１”と、この筒状部１０ａの右側の筒端からこの筒状部１０ａ内に入れ込まれる右側スライダ１１’により構成し、さらに、両スライダ１１’、１１”間に弾性部材１２としての圧縮コイルバネを介装させた変更例を示している。この変更例では、スリット１０ｂは筒状部１０ａの中央を挟んだ両側にそれぞれ形成されている。
【符号の説明】
【００２６】
１０  金具本体
１０ａ  筒状部
１０ｂ  スリット
１０ｃ  導入部
１１  スライダ
１１ｄ  抜け止め部
１２  弾性部材
１３  キーホルダー
１３ａ  接続部材
１３ｂ  頭部
【図１】
2011208376.tif 000003
【図２】
2011208376.tif 000004
【図３】
2011208376.tif 000005
【図４】
2011208376.tif 000006
【図５】
2011208376.tif 000007
【図６】
2011208376.tif 000008
【図７】
2011208376.tif 000009
【図８】
2011208376.tif 000010